(57)【要約】【課題】放流警報装置の音声増幅器の電源を起動した後に制御信号が送信されても、放流警報装置のスピーカから注意の喚起とは無関係な制御信号による音が放送されることを抑止可能な放流警報装置及び警報局を提供することである。【解決手段】実施形態の放流警報装置は、音声レベル検出部、無音時間検出部、特定データ配列検出部、スイッチ部を備える。音声レベル検出部は、制御監視装置から受信した音声信号のレベルを検出する。無音時間検出部は、音声レベル検出部が検出した音声信号のレベルに基づいて、音声信号における無音時間を検出する。特定データ配列検出部は、制御監視装置から受信した制御信号における特定のデータ配列を検出する。スイッチ部は、無音時間検出部が検出した無音時間と、特定データ配列検出部が検出した特定のデータ配列とに基づいて、オンまたはオフすることで音声信号が音声増幅器及びスピーカに入力されるか否かを決定する。【選択図】図３
2015049617.tif 000002
【特許請求の範囲】
【請求項１】
音声信号及び制御信号を送信する制御監視装置から受信した音声信号のレベルを検出する音声レベル検出部と、
前記音声レベル検出部が検出した音声信号のレベルに基づいて、前記音声信号における無音時間を検出する無音時間検出部と、
前記制御監視装置から受信した制御信号における特定のデータ配列を検出する特定データ配列検出部と、
前記無音時間検出部が検出した無音時間と、前記特定データ配列検出部が検出した特定のデータ配列とに基づいて、オンまたはオフすることで音声信号が音声増幅器及びスピーカに入力されるか否かを決定するスイッチ部と
を備えることを特徴とする放流警報装置。
【請求項２】
前記特定データ配列検出部が所定の時間内に特定のデータ配列を２回連続検出した場合、前記スイッチ部がオフする
ことを特徴とする請求項１に記載の放流警報装置。
【請求項３】
前記特定のデータ配列は、
“０１１１１１１０”の８ビットのデータ配列を示す
ことを特徴とする請求項１または請求項２に記載の放流警報装置。
【請求項４】
前記制御監視装置から受信した制御信号における放送の開始を示す放送起動制御信号を検出する基本制御部
を備え、
前記基本制御部が前記放送起動制御信号を検出した場合に、前記スイッチ部がオンする
ことを特徴とする請求項１から請求項３の何れか一項に記載の放流警報装置。
【請求項５】
請求項１から請求項４の何れか一項に記載の放流警報装置
を備えることを特徴とする警報局。
【請求項６】
特定のデータ配列を送信する送信機を備える制御監視装置
をさらに備えることを特徴とする請求項５に記載の警報局。
【発明の詳細な説明】
【技術分野】
【０００１】
本発明の実施形態は、放流警報装置及び警報局に関する。
【背景技術】
【０００２】
ダムや堰などが貯水している水を放流設備から河川に放流する前に、放流警報装置は、河岸における人物に対して注意の喚起を行う（例えば、特許文献１参照）。
【先行技術文献】
【特許文献】
【０００３】
【特許文献１】特許第５１６１７２６号公報
【発明の概要】
【発明が解決しようとする課題】
【０００４】
ところで、放流警報装置の音声増幅器の電源を起動した後に制御信号が送信されると、放流警報装置のスピーカから人物に対する注意の喚起とは無関係な制御信号による音が放送されることがある。
本発明が解決しようとする課題は、放流警報装置の音声増幅器の電源を起動した後に制御信号が送信されても、放流警報装置のスピーカから注意の喚起とは無関係な制御信号による音が放送されることを抑止可能な放流警報装置及び警報局を提供することである。
【課題を解決するための手段】
【０００５】
実施形態の放流警報装置は、音声レベル検出部と、無音時間検出部と、特定データ配列検出部と、スイッチ部とを備える。音声レベル検出部は、音声信号及び制御信号を送信する制御監視装置から受信した音声信号のレベルを検出する。無音時間検出部は、前記音声レベル検出部が検出した音声信号のレベルに基づいて、前記音声信号における無音時間を検出する。特定データ配列検出部は、前記制御監視装置から受信した制御信号における特定のデータ配列を検出する。スイッチ部は、前記無音時間検出部が検出した無音時間と、前記特定データ配列検出部が検出した特定のデータ配列とに基づいて、オンまたはオフすることで音声信号が音声増幅器及びスピーカに入力されるか否かを決定する。
【図面の簡単な説明】
【０００６】
【図１】実施形態による制御監視装置１０と放流警報装置２０とを備える警報局の例を示す図である。
【図２】実施形態による制御監視装置１０を示す図である。
【図３】実施形態による放流警報装置２０を示す図である。
【図４】制御監視装置１０が放流警報装置２０に送信する信号の基本伝送フォーマットの例を示す図である。
【図５】図４で示した基本伝送フォーマットにおける同期ビット、フラグシーケンスのそれぞれの例を示す図である。
【図６】実施形態による放流警報装置２０を備える警報局１における個別の放送制御のタイムチャートの例を示す図である。
【発明を実施するための形態】
【０００７】
以下、実施形態の制御監視装置と放流警報装置とを備える警報局について図面を参照して説明する。
【０００８】
＜実施形態＞
図１は、実施形態による制御監視装置１０と放流警報装置２０とを備える警報局の例を示す図である。
この図において、制御監視装置１０は、河川の様々な場所に設置された放流警報装置２０（２０ａ、２０ｂ、２０ｃ、・・・）に対して電波に音声帯域の信号を乗せて放流警報に関連する種々の制御を行っている。なお、放流警報装置２０は、放流警報装置２０ａ、２０ｂ、２０ｃ、・・・の総称である。
制御監視装置１０は、放流警報に関連する種々の制御信号や音声による警報放送のための音声信号を放流警報装置２０に送信している。
放流警報装置２０は、制御監視装置１０からの制御信号や音声信号に基づいて、警報放送や警報サイレンなどを出力して人々に注意の喚起を行う。
【０００９】
図２は、実施形態による制御監視装置１０を示す図である。
実施形態による制御監視装置１０は、この図で示すように、基本制御部１０１と、伝送制御部１０２と、変調部１０３と、送信機１０４と、マイク１０５と、音声発生部１０６と、空中線１０７とを備える。
【００１０】
基本制御部１０１は、音声増幅器２１１などを起動して音声による放送を開始する前にサイレンなどを鳴らすための放送起動制御信号や、音声による放送が終了した後に音声増幅器２１１などの起動を停止するための放送停止制御信号などの制御信号を出力する機能部である。
【００１１】
伝送制御部１０２は、基本制御部１０１が出力した種々の制御信号を伝送符号化する機能部である。
変調部１０３は、伝送制御部１０２が伝送符号化した制御信号を音声帯域の制御信号に変換する機能部である。
送信機１０４は、変調部１０３が変換して生成した音声帯域の制御信号を電波に変換し、その電波を送信する機能部である。
【００１２】
マイク１０５は、音声や音を電気信号に変換して音声信号を生成し、出力する機能部である。
音声発生部１０６は、記録している所定の音声メッセージやチャイム音などの音声信号を出力する機能部である。
空中線１０７は、送信機１０４が送信した電波を放流警報装置２０に送信する機能部である。
【００１３】
図３は、実施形態による放流警報装置２０を示す図である。
実施形態による放流警報装置２０は、この図で示すように、受信機２０１と、復調部２０２と、伝送制御部２０３と、基本制御部２０４と、特定データ配列検出部２０５と、音声レベル検出部２０６と、無音時間検出部２０７と、ＯＲ回路２０８と、ＡＮＤ回路２０９と、スイッチ部２１０と、音声増幅器２１１と、スピーカ２１２と、空中線２１３とを備える。
【００１４】
受信機２０１は、制御監視装置１０から音声メッセージなどの音声信号や、放流警報装置２０への放送起動制御信号や放送停止制御信号などの制御信号、を含む電波を受信する機能部である。また、受信機２０１は、受信した電波を音声帯域の制御信号に変換する機能部である。また、受信機２０１は、受信した電波から音声信号に変換し、出力する機能部である。また、受信機２０１は、制御監視装置１０からのスケルチ信号検出し、制御監視装置１０から継続して電波を受信していることを検出する機能部である。
【００１５】
復調部２０２は、受信機２０１が変換して生成した音声帯域の制御信号を伝送符号化した制御信号に変換する機能部である。
伝送制御部２０３は、復調部２０２が変換した伝送符号化した制御信号を種々の制御信号に分解する機能部である。
【００１６】
基本制御部２０４は、伝送制御部２０３が種々の制御信号に分解した制御信号に基づいて、制御信号を特定する機能部である。そして、基本制御部２０４は、特定した制御信号に基づいて、スイッチ部２１０をオンまたはオフする機能部である。
【００１７】
特定データ配列検出部２０５は、受信機２０１が受信した電波における特定のデータ配列、例えば“０１１１１１１０”のデータ配列のフラグシーケンス信号を検出する機能部である。また、特定データ配列検出部２０５は、特定のデータ配列を２回連続検出した場合にＨｉｇｈ信号を出力する機能部である。
音声レベル検出部２０６は、受信機２０１が変換した音声信号の信号振幅を検出する機能部である。
【００１８】
無音時間検出部２０７は、音声レベル検出部２０６の検出した信号振幅が無音を示す所定のしきい値以下となる時間を無音時間として検出する機能部である。
ＯＲ回路２０８は、特定データ配列検出部２０５が検出する特定のデータ配列と、無音時間検出部２０７が検出する無音時間とに応じて、出力信号を出力する機能部である。
【００１９】
ＡＮＤ回路２０９は、受信機２０１が検出するスケルチ信号と、ＯＲ回路２０８が出力する出力信号と、無音時間検出部２０７が検出する無音時間とに応じて、スイッチ部２１０をオンまたはオフする機能部である。
スイッチ部２１０は、基本制御部２０４やＡＮＤ回路２０９が出力する出力信号に応じて、オンまたはオフする機能部である。
【００２０】
音声増幅器２１１は、スイッチ部２１０を介して受信機２０１が変換した音声信号を入力し、増幅する機能部である。そして、音声増幅器２１１は、増幅した音声信号をスピーカ２１２に出力する機能部である。
【００２１】
スピーカ２１２は、音声増幅器２１１から入力した音声信号を音声や音として出力する機能部である。
空中線２１３は、制御監視装置１０から電波を受信する機能部である。
【００２２】
図４は、制御監視装置１０が放流警報装置２０に送信する信号の基本伝送フォーマットの例を示す図である。
また、図５は、図４で示した基本伝送フォーマットにおける同期ビット、フラグシーケンスのそれぞれの例を示す図である。
【００２３】
図４で示す例の基本伝送フォーマットは、ヘッドと、同期ビットと、フラグシーケンスと、アドレスと、制御部と、情報部と、フレーム検査シーケンスとを含んでいる。
基本伝送フォーマットにおけるヘッドは、制御監視装置１０と放流警報装置２０の各装置の立ち上がり時間を確保するための信号であり、フラグシーケンスを繰り返した信号である。
【００２４】
基本伝送フォーマットにおける同期ビットは、放流警報装置２０の復調部２０２での同期をとるための信号である。この同期ビットは、図５（ａ）で示すように、フラグシーケンスを２回繰り返した１６ビットの信号である。
基本伝送フォーマットにおけるフラグシーケンスは、フレームの開始または終了を示す信号である。このフラグシーケンスは、図５（ｂ）で示すように、“０１１１１１１０”の８ビットの信号である。
【００２５】
基本伝送フォーマットにおけるアドレスは、制御対象の放流警報装置２０を指定するための信号である。このアドレスは、図５（ｃ）で示すように、（１）０と、（２）局番と、（３）０と、（４）システム番号と、（５）１と、（６）系番号と、（７）地域コードとを含む２４ビットの信号である。
【００２６】
アドレスにおける（１）０は、固定ビットであり、拡張アドレスの１ワード目を示す１ビットの信号である。
アドレスにおける（２）局番は、放流警報装置２０の制御を個別に行うか、一斉に行うか、ブロック単位に行うかを指定する７ビットの信号である。
（アドレスにおける３）０は、固定ビットであり、拡張アドレスの２ワード目を示す１ビットの信号である。
【００２７】
アドレスにおける（４）システム番号は、後に説明する（７）の地域コードで分類した中におけるシステムの番号である。
アドレスにおける（５）１は、固定ビットであり、拡張アドレスの最終ワードを示す１ビットの信号である。
【００２８】
アドレスにおける（６）系番号は、同一システムまたはブロック内で一斉制御を分割して行う際に使用する３ビットの信号である。
アドレスにおける（７）地域コードは、例えば、北海道、東北、関東などの地域や、札幌、仙台、東京などの自治体を示す７ビットの信号である。
【００２９】
基本伝送フォーマットにおける制御部は、音声増幅器２１１などを起動して音声による放送を開始する前にサイレンなどを鳴らすための放送起動制御信号や、音声による放送が終了した後に音声増幅器２１１などの起動を停止するための放送停止制御信号などの制御を示す８ビットの信号である。
基本伝送フォーマットにおける情報部は、音声信号に含まれる音声や音を示す８ビット×ｎの信号である。
【００３０】
基本伝送フォーマットにおけるフレーム検査シーケンスは、伝送エラーを検出するためのビット列を示す信号である。フレーム検査シーケンスは、アドレス・制御部・情報部のビット列を生成多項式と呼ばれる数式（一般的には、Ｘ１６＋Ｘ１２＋Ｘ５＋１）で割り算した余りを示している。
【００３１】
次に、実施形態による放流警報装置２０、及び放流警報装置２０を備える警報局１の動作を説明する。
実施形態による制御監視装置１０は、制御対象の放流警報装置２０を示すアドレスを指定して、電波を放流警報装置２０に送信する。
放流警報装置２０が制御監視装置１０から電波を受信すると、放流警報装置２０の受信機２０１は、空中線２１３を介して電波を受信する。そして、受信機２０１は、まずスケルチ信号を検出する。
【００３２】
受信機２０１がスケルチ信号を検出すると、放流警報装置２０の備える図示していない電圧源は、受信系機能部である、復調部２０２と、伝送制御部２０３と、基本制御部２０４と、特定データ配列検出部２０５と、音声レベル検出部２０６と、無音時間検出部２０７に電源電圧を供給する。
このとき、電源電圧を供給された機能部のうち、基本制御部２０４を除く復調部２０２と、伝送制御部２０３と、特定データ配列検出部２０５と、音声レベル検出部２０６と、無音時間検出部２０７の全てが動作を開始する。
【００３３】
次に、受信機２０１は、スケルチ信号の次のタイミングで受信した電波を音声帯域の制御信号と音声信号に変換する。そして、受信機２０１は、変換して生成した音声帯域の制御信号を復調部２０２に出力する。
復調部２０２は、受信機２０１から音声帯域の制御信号を入力すると、その入力した音声帯域の制御信号を伝送符号化した制御信号に変換する。そして、復調部２０２は、変換した伝送符号化した制御信号を伝送制御部２０３に出力する。
【００３４】
伝送制御部２０３は、復調部２０２から伝送符号化した制御信号を入力すると、その入力した伝送符号化した制御信号を種々の制御信号に分解する。ここで伝送制御部２０３が分解して生成した種々の制御信号は、図４で示したような基本伝送フォーマットにおける制御信号を含んでおり、放流警報装置２０のアドレスも含んでいる。そして、伝送制御部２０３は、この分解して生成した種々の制御信号を基本制御部２０４に出力する。
【００３５】
基本制御部２０４は、伝送制御部２０３から分解して生成した種々の制御信号を入力すると、その入力した種々の制御信号からアドレスを検出する。そして、基本制御部２０４は、その検出したアドレスが放流警報装置２０のアドレスであるか否かを判定する。基本制御部２０４は、検出したアドレスが放流警報装置２０のアドレスであると判定した場合にのみ、ＯＲ回路２０８と、ＡＮＤ回路２０９と、スイッチ部２１０と、音声増幅器２１１を起動する。
実施形態による放流警報装置２０のすべての機能部は、ここ時点で起動する。
【００３６】
図６は、実施形態による放流警報装置２０を備える警報局１における個別の放送制御のタイムチャートの例を示す図である。
ここで、実施形態による放流警報装置２０、及び放流警報装置２０を備える警報局１の動作を理解するために、図６に示す個別の放送制御のタイムチャートについて説明する。
なお、ここでは説明を簡単にするために、放流警報装置２０のすべての機能部は、既に起動しているものとする。また、以下において、既に述べた機能部の動作については説明を省略する場合がある。
【００３７】
実施形態による警報局１の制御監視装置１０が備える送信機１０４は、放送起動制御信号を含む制御信号を電波に変換する。そして、送信機１０４は、変換した電波を放流警報装置２０に送信する。
放流警報装置２０の受信機２０１は、送信機１０４が送信した電波を空中線２１３を介して受信する。受信機２０１は、受信した電波を音声帯域の制御信号に変換する。そして、受信機２０１は、変換して生成した音声帯域の制御信号を復調部２０２に出力する。
【００３８】
復調部２０２は、受信機２０１から音声帯域の制御信号を入力すると、その入力した音声帯域の制御信号を伝送符号化した制御信号に変換する。そして、復調部２０２は、変換した伝送符号化した制御信号を伝送制御部２０３に出力する。
【００３９】
伝送制御部２０３は、復調部２０２から伝送符号化した制御信号を入力すると、その入力した伝送符号化した制御信号を種々の制御信号に分解する。そして、伝送制御部２０３は、この分解して生成した種々の制御信号を基本制御部２０４に出力する。
【００４０】
基本制御部２０４は、伝送制御部２０３から分解して生成した種々の制御信号を入力すると、その入力した種々の制御信号から放送起動制御信号を検出する。基本制御部２０４は、放送起動制御信号を検出すると、スイッチ部２１０をオン状態にする。また、基本制御部２０４は、これと同時に音声増幅器２１１をオン状態にする。
【００４１】
次に、実施形態による警報局１の制御監視装置１０が備える送信機１０４は、音声信号を電波に変換する。そして、送信機１０４は、変換した電波を放流警報装置２０に送信する。
放流警報装置２０の受信機２０１は、送信機１０４から電波を受信すると、その受信した電波を音声信号に変換する。そして、受信機２０１は、変換した音声信号をスイッチ部２１０に出力する。
【００４２】
このとき、スイッチ部２１０と音声増幅器２１１はオン状態であるため、音声増幅器２１１は、スイッチ部２１０を介して、受信機２０１から音声信号を入力する。音声増幅器２１１は、その入力した音声信号を増幅する。そして、音声増幅器２１１は、増幅した音声信号に基づいて、スピーカ２１２を駆動する。
すると、スピーカ２１２は、音声信号に応じた音声または音を出力する。
【００４３】
ここで、音声信号に所定の長さを超える無音が含まれている場合を考える。
放流警報装置２０の音声レベル検出部２０６は、受信機２０１が変換した音声信号の信号振幅を検出する。そして、音声レベル検出部２０６は、その信号振幅の検出結果を無音時間検出部２０７に出力する。
【００４４】
無音時間検出部２０７は、音声レベル検出部２０６から信号振幅の検出結果を入力すると、その入力した信号振幅が無音判定する所定のしきい値以下の信号振幅が継続される時間を無音時間として検出する。そして、無音時間検出部２０７が所定の時間以上の無音時間を検出した場合、スイッチ部２１０をオフ状態にするために必要なＨｉｇｈ信号をＯＲ回路２０８に出力する。
ただし、このとき、特定データ配列検出部２０５は特定のデータ配列を２回連続検出していないため、Ｌｏｗ信号を出力しているため、スイッチ部２１０は、オン状態のままである。従って、音声信号を入力中にはスイッチ部２１０をオフ状態にすることはない。
【００４５】
次に、特定データ配列検出部が特定のデータ配列を２回連続検出した場合を考える。
制御監視装置１０が備える送信機１０４は、新たな制御信号を送信する際、図４で示した基本伝送フォーマットのように、ヘッド、同期ビット、フラグシーケンスの信号として、特定のデータ配列の信号を含む電波を放流警報装置２０に送信する。
【００４６】
放流警報装置２０の受信機２０１は、送信機１０４から特定のデータ配列の信号を含む電波を受信する。受信機２０１は、受信した電波を音声帯域の制御信号に変換する。そして、受信機２０１は、変換して生成した音声帯域の制御信号を復調部２０２に出力する。
【００４７】
復調部２０２は、受信機２０１から音声帯域の制御信号を入力すると、その入力した音声帯域の制御信号を伝送符号化した制御信号に変換する。そして、復調部２０２は、変換した伝送符号化した制御信号を伝送制御部２０３に出力する。
【００４８】
伝送制御部２０３は、復調部２０２から伝送符号化した制御信号を入力すると、その入力した伝送符号化した制御信号を種々の制御信号に分解する。そして、伝送制御部２０３は、この分解して生成した種々の制御信号を基本制御部２０４に出力する。また、ここまでの説明では示していないが、伝送制御部２０３は、この分解して生成した種々の制御信号を特定データ配列検出部２０５にも出力している。
【００４９】
特定データ配列検出部２０５は、伝送制御部２０３から分解して生成した種々の制御信号を入力すると、その入力した種々の制御信号から特定のデータ配列を検出する。そして、特定データ配列検出部２０５は、特定のデータ配列を２回連続検出すると、直ちにＨｉｇｈ信号をＯＲ回路２０８とＡＮＤ回路２０９に出力する。
なお、特定データ配列検出部２０５が出力するＨｉｇｈ信号は、基本伝送フォーマットにおける制御部の信号を検出するまで継続される。
【００５０】
特定データ配列検出部２０５がＨｉｇｈ信号をＯＲ回路２０８とＡＮＤ回路２０９に出力すると、ＡＮＤ回路２０９は、Ｈｉｇｈ信号をスイッチ部２１０に出力する。そして、スイッチ部２１０は、オフ状態となる。
【００５１】
その後、特定データ配列検出部２０５は、基本伝送フォーマットにおける制御部の信号を検出すると、Ｌｏｗ信号を出力する。すると、ＡＮＤ回路２０９はＬｏｗ信号を出力する。そして、スイッチ部２１０は、オン状態となる。
【００５２】
このように、基本伝送フォーマットにおける制御部の信号が出力されている時に、音声増幅器２１１がオン状態であっても、スイッチ部２１０はオフ状態となる。
【００５３】
最後に、実施形態による警報局１の制御監視装置１０が、放送停止制御信号を放流警報装置２０に送信する場合を考える。
【００５４】
実施形態による警報局１の制御監視装置１０が備える送信機１０４は、放送停止制御信号を含む制御信号を電波に変換する。そして、送信機１０４は、変換した電波を放流警報装置２０に送信する。
放流警報装置２０の受信機２０１は、送信機１０４が送信した電波を空中線２１３を介して受信する。受信機２０１は、受信した電波を音声帯域の制御信号に変換する。そして、受信機２０１は、変換して生成した音声帯域の制御信号を復調部２０２に出力する。
【００５５】
復調部２０２は、受信機２０１から音声帯域の制御信号を入力すると、その入力した音声帯域の制御信号を伝送符号化した制御信号に変換する。そして、復調部２０２は、変換した伝送符号化した制御信号を伝送制御部２０３に出力する。
【００５６】
伝送制御部２０３は、復調部２０２から伝送符号化した制御信号を入力すると、その入力した伝送符号化した制御信号を種々の制御信号に分解する。そして、伝送制御部２０３は、この分解して生成した種々の制御信号を基本制御部２０４に出力する。
【００５７】
基本制御部２０４は、伝送制御部２０３から分解して生成した種々の制御信号を入力すると、その入力した種々の制御信号から放送停止制御信号を検出する。基本制御部２０４は、放送停止制御信号を検出すると、放流警報装置２０の備える各機能部に停止を示す停止信号を出力する。
そして、放流警報装置２０の備える各機能部は、基本制御部２０４から停止信号を入力すると、機能を停止する。
【００５８】
以上のように、実施形態の放流警報装置２０は、音声レベル検出部２０６と、無音時間検出部２０７と、特定データ配列検出部２０５と、スイッチ部２１０とを備える。音声レベル検出部２０６は、音声信号及び制御信号を送信する制御監視装置１０から受信した音声信号のレベルを検出する。無音時間検出部２０７は、音声レベル検出部２０６が検出した音声信号のレベルに基づいて、前記音声信号における無音時間を検出する。特定データ配列検出部２０５は、制御監視装置１０から受信した制御信号における特定のデータ配列を検出する。スイッチ部２１０は、無音時間検出部２０７が検出した無音時間と、特定データ配列検出部２０５が検出した特定のデータ配列とに基づいて、オンまたはオフすることで音声信号が音声増幅器２１１及びスピーカ２１２に入力されるか否かを決定する。
こうすることで、放流警報装置２０の音声増幅器２１１の電源を起動した後に制御信号が送信されても、放流警報装置２０のスピーカ２１２から注意の喚起とは無関係な制御信号による音が放送されることを抑止することができる。
【００５９】
以上述べた少なくともひとつの実施形態の放流警報装置２０及び警報局１によれば、放流警報装置２０の音声増幅器２１１の電源を起動した後に制御信号が送信されても、放流警報装置２０のスピーカ２１２から注意の喚起とは無関係な制御信号による音が放送されることを抑止することができる。
【００６０】
なお実施形態について説明したが、上述の制御監視装置１０および放流警報装置２０は内部に、コンピュータシステムを有していてもよい。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００６１】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００６２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６３】
１・・・警報局
１０・・・制御監視装置
２０、２０ａ、２０ｂ、２０ｃ・・・放流警報装置
１０１、２０４・・・基本制御部
１０２、２０３・・・伝送制御部
１０３・・・変調部
１０４・・・送信機
１０５・・・マイク
１０６・・・音声発生部
１０７、２１３・・・空中線
２０１・・・受信機
２０２・・・復調部
２０５・・・特定データ配列検出部
２０６・・・音声レベル検出部
２０７・・・無音時間検出部
２０８・・・ＯＲ回路
２０９・・・ＡＮＤ回路
２１０・・・スイッチ部
２１１・・・音声増幅器
２１２・・・スピーカ
【図１】
2015049617.tif 000003
【図２】
2015049617.tif 000004
【図３】
2015049617.tif 000005
【図４】
2015049617.tif 000006
【図５】
2015049617.tif 000007
【図６】
2015049617.tif 000008